(57)【要約】      （修正有）【課題】安価で組立作業性に優れた計量米びつを提供する。【解決手段】米収容室下方に、ケース２１と計量レバー７の回動に連動して回動する計量升２２とにより所定容積の計量室を形成した計量器３が連結された計量米びつにおいて、ケース２１に対して計量レバー７と計量升２２をＬ字形の軸ピン２３ａ、２３ｂの長片で回動可能に軸支すると共に、ケース２１外面に形成した係止溝にＬ字形の軸ピン２３ａ、２３ｂの短片を係止することによりケース２１に計量レバー７と計量升２２を取り付ける。【選択図】図３
0003205877.tif 000002
【実用新案登録請求の範囲】
【請求項１】
米収容室下方に、ケースと計量レバーの回動に連動して回動する計量升とにより所定容積の計量室を形成した計量器が連結された計量米びつにおいて、
前記ケースに対して前記計量レバーと前記計量升をＬ字形ピンの長片で回動可能に軸支すると共に、前記ケース外面に形成した係止溝にＬ字形ピンの短片を係止することによりケースに計量レバーと計量升を取り付けることを特徴とする計量米びつ。
【考案の詳細な説明】
【技術分野】
【０００１】
本考案は、米を収容保管し一定量の米を供給する計量米びつに関し、特に計量器の構造に関するものである。
【背景技術】
【０００２】
従来この種の計量米びつとして、特開平１０−１９２１６９号公報が知られている。図１は、米収容室下方に連結される計量器を示している。計量器１１は、合成樹脂製のケース１２の内部に計量升１３と計量レバー１４を備え、上部後方に米導入口１２ａがケース１２と一体に形成されている。
計量レバー１４は、ケース１２前部に軸ピン１５によって揺動支持され、前方の指を載せる押圧部１４ａを押し下げると軸ピン１５を中心として回転し、計量升１３の扇形の押上リブ１３ａを押し上げる。これによって、計量升１３は米導入口１２ａと米排出口（図示しない）の間で回動し米の流通を遮断する。
【０００３】
軸ピン１５は、細い棒状の部材であり一端に抜け止め用の膨出部を有している。計量レバー１４のケース１２への取付に際し、軸ピン１５の膨出部を有しない他端をケース１２の一方の側壁から他方の側壁へ、ケース１２内に配置した計量レバー１４と共に貫通するように挿入し、ケース１２他方の側壁へ突き出た軸ピン１５の他端に留め具（図示しない）を取り付ける。これにより、計量レバー１４はケース１２に軸支される。同様に、計量升１３についても、軸ピン１５と留め具によりケース１２に回動自在に軸支される。
以上のように、簡単な構成で計量レバーと計量升を揺動自在にケースに取り付けていた。
【先行技術文献】
【特許文献】
【０００４】
【特許文献１】特開平１０−１９２１６９号公報
【考案の概要】
【考案が解決しようとする課題】
【０００５】
しかしながら、このような計量レバーと計量升の取付においては、膨出部を有する軸ピン及び留め具等の専用部材が必要であり、それらが高価であるという問題があった。
そこで本考案は、組立作業性の向上及び部品点数の合理化を実現し、コストダウンを図ることを目的としたものである。
【課題を解決するための手段】
【０００６】
本考案の計量米びつでは、計量器のケースに対して計量レバーと計量升をＬ字形ピンの長片で回動可能に軸支すると共に、前記ケース外面に形成した係止溝にＬ字形ピンの短片を係止することによりケースに計量レバーと計量升を取り付けるようにしたものである。
【考案の効果】
【０００７】
本考案の計量米びつは、計量器を構成するケースに計量レバーまたは計量升をＬ字形ピンを挿し込む手順のみで簡単に取り付けられ、計量器の組立作業性が向上する。また、ケースに計量レバーと計量升を取り付けるための部材として、簡単な加工で作成可能なＬ字形ピンを採用することによりコストダウンが可能である。さらに、ケース側壁に設けた係止溝にＬ字形ピンの短片を係止することにより、留め具不要でＬ字形ピンの抜けが防止され、部品点数を削減できる。
【図面の簡単な説明】
【０００８】
【図１】従来の計量米びつの計量器の斜視図である。
【図２】本考案の計量米びつの内部断面図である。
【図３】本考案の計量米びつの計量器の斜視図である。
【図４】本考案の計量米びつの計量器の断面図である。
【図５】本考案の計量米びつの計量器の平面図である。
【図６】本考案の計量米びつの軸ピンの説明図である。
【考案を実施するための形態】
【０００９】
以下、図面を基に本考案の実施例について説明する。図２は本考案の計量米びつの内部断面図である。
【００１０】
１は米びつ本体で、米を貯蔵する米収容室２と、該米収容室２内の米を計量排出する計量器３とを内蔵している。４は米収容室２上面に着脱される米投入蓋で、米収容室２内に米を補充する際に着脱される。米びつ本体１の前面には計量器３を作動させる計量レバー７を備えている。８は計量器３の下方に位置し、本体１下部に引出自在に設けられる米受容器で、計量器３で計量された米を取り出すものである。
【００１１】
図３は本考案の計量米びつの計量器の斜視図、図４は断面図、図５は平面図である。
２１は合成樹脂製のケースで、上部後方に米導入口２１ａ形成されており、内部には計量升２２と計量レバー７が備えられている。計量レバー７は、ケース２１前部に軸ピン２３ａによって揺動支持され、前方の指を載せる押圧部７ａを押し下げると軸ピン２３ａを中心として回転し、計量升２２の扇形の押上リブ２２ａを押し上げる。計量升２２は、軸ピン２３ｂに回動自在に軸支されており、計量レバー７の操作により揺動することによって米導入口２１ａと米排出口２１ｂの間で米の流通を遮断する。コイルバネ２４ａは、軸ピン２３ａに取り付けられ、一端を計量レバー７の下部に設けた切欠部７ｂに、他端を軸ピン２３ｃにそれぞれ係止される。また、コイルバネ２４ｂは、軸ピン２３ｂに取り付けられ、一端を計量升２２の下部に、他端を軸ピン２３ｃにそれぞれ係止される。これらのコイルバネ２４ａ，２４ｂの付勢により、計量レバー７は押圧部７ａが押し下げ可能な位置に保持され、また計量升２２は米導入口２１ａを開放状態にかつ米排出口２１ｂを閉塞状態に維持される。
【００１２】
ケース２１の左右外壁には、軸ピン２３ａ，２３ｂ，２３ｃの挿入孔２５ａ，２５ａ’，２５ｂ，２５ｂ’，２５ｃ，２５ｃ’が設けられている。左右一対の挿入孔のうち少なくとも一つの挿入孔の近傍には、軸ピン固定用のリブ２６が形成されている。リブ２６の内面には突部２７が設けられ、この突部２７によってリブ内に嵌合した軸ピンを強固に固定する。突部の形状は線状や点状等、軸ピンを両側から支持できる形状とする。
【００１３】
図６に示すように、軸ピン２３ａ，２３ｂ，２３ｃは、線材に折り曲げ加工を施し、Ｌ字形に成形したものである。Ｌ字の長片２８の長さはケース２１の左右幅と同じまたはそれ以上とし、ケース２１を左右に貫通可能な長さとする。一方、短片２９は、長片２８の挿入孔２５への挿入時、ケース外部に露出し、軸ピンがそれ以上ケース内に入り込み反対側に通り抜けてしまうことを防止する。
【００１４】
次に、計量器の組立について説明する。まず、ケース２１内に計量升２２とコイルバネ２４ｂを所定位置に配置し、軸ピン２３ｂの長片２８を一方の挿入孔２５ｂに挿入すると、軸ピン２３ｂはケース２１と計量升２２の回転軸およびコイルバネ２４ｂのコイル部分を貫通し、長片２８の先端が他方の挿入孔２５ｂ’から外側へ突出する。続いて軸ピン２３ｂの短片２９をリブ２６に嵌め込み、軸ピン２３ｂをケース２１に固定することにより、計量升２２がケース２１に揺動自在に取り付けられる。
【００１５】
次に、計量レバー７をケース２１内に取り付ける。前述の計量升の取付と同様に、ケース２１内の所定位置に計量レバー７とコイルバネ２４ａを配置し、軸ピン２３ａの長片２８を一方の挿入孔２５ａに挿入し、軸ピン２３ａの短片２９をリブ２６に嵌め込み、軸ピン２３ａをケース２１に固定する。これにより、計量レバー７をケース２１に揺動自在に取り付ける。
【００１６】
最後に、ケース２１中央の挿入孔２５ｃ，２５ｃ’に軸ピン２３ｃを挿入し、計量升と計量レバーの取付と同様に、軸ピン短片２９をリブ２６に嵌め込むことにより固定する。このとき軸ピン２３ｃは、コイルバネ２４ａ，２４ｂの上方に跳ね上がった端部を下方へ抑えるよう取り付ける。これにより、コイルバネ２４ａ，２４ｂの付勢力が作用し、計量レバー７は押圧部７ａを押し下げ可能に保持され、計量升２２は米導入口２１ａを開放状態にかつ米排出口２１ｂを閉塞状態に維持される。そして、計量レバーの押圧部の押し下げ動作に連動して計量升が回動し、米の計量・排出が可能となる。
【００１７】
以上のように、本考案の計量米びつでは、計量器の組立において、部品点数を削減が可能であると共に、安価なＬ字形の軸ピンを用いることによりコストダウンが可能である。また、ケースと一体に成形されたリブにＬ字形軸ピンの短片を嵌め込むことにより軸ピンを強固に固定でき、組立作業性が向上するだけでなく、計量器の操作中に軸ピンが抜け落ちるおそれや、軸ピンの回転によるガタツキ等の不具合が生じない。安定した米の計量・排出操作が可能な高品質な計量米びつが安価に提供できる。
【符号の説明】
【００１８】
１    本体
２    米収容室
３    計量器
４    米投入蓋
５    前面板
６    のぞき窓
７    計量レバー
７ａ  押圧部
７ｂ  切欠部
８    米受け容器
２１    ケース
２２    計量升
２２ａ  押上リブ
２３ａ，２３ｂ，２３ｃ    軸ピン
２４ａ，２４ｂ    コイルバネ
２５ａ，２５ａ’，２５ｂ，２５ｂ’，２５ｃ，２５ｃ’    挿入孔
２６  リブ
２７  突部
２８  長片
２９  短片
【図１】
0003205877.tif 000003
【図２】
0003205877.tif 000004
【図３】
0003205877.tif 000005
【図４】
0003205877.tif 000006
【図５】
0003205877.tif 000007
【図６】
0003205877.tif 000008